(57)【特許請求の範囲】
【請求項１】
隣接する上方の椎体と下方の椎体との間の固定を促進するための移植部材において、
第１の骨部分と、第２の骨部分と、前記第１の骨部分及び前記第２の骨部分を接続する可撓性部分と、を有し、前記可撓性部分が、前記第２の骨部分に関する前記第１の骨部分の移動を許容する、移植部材であって、
前記第１の骨部分は、前記上方の椎体に係合するための上方支持面と、前記下方の椎体に係合するための下方支持面とを有し、前記第１の骨部分の前記上方支持面と前記下方支持面とが第１の高さによって隔てられており、
前記第２の骨部分は、前記上方の椎体に係合するための上方支持面と、前記下方の椎体に係合するための下方支持面とを有し、前記第２の骨部分の上方支持面と前記下方支持面とが第２の高さによって隔てられており、
前記第１の高さ及び前記第２の高さは、前記上方の椎体と前記下方の椎体との間のスペースを維持する、移植部材。
【請求項２】
前記可撓性部分は、鉱物質の少なくとも一部が除去された骨である、請求項１に記載の移植部材。
【請求項３】
前記可撓性部分は、鉱物質を完全に除去された領域を有する、請求項２に記載の移植部材。
【請求項４】
前記第１の高さと前記第２の高さとがほぼ等しい、請求項１乃至３の何れか１項に記載の移植部材。
【請求項５】
前記第１の高さ及び前記第２の高さの各々はテーパを有しており、前記上方の椎体及び前記下方の椎体を適当な前湾の曲率に維持する、請求項１乃至４の何れか１項に記載の移植部材。
【請求項６】
前記第１の骨部分の前記上方支持面及び前記下方支持面と前記第２の骨部分の前記上方支持面及び前記下方支持面とは夫々、前記上方の椎体及び前記下方の椎体の間の椎間板のスペースから前記移植部材が抜けることを防止するための骨係合面を有する、請求項１乃至５の何れか１項に記載の移植部材。
【請求項７】
前記第１の骨部分の前記上方支持面及び前記下方支持面と前記第２の骨部分の前記上方支持面及び前記下方支持面とは、前記上方の椎体及び前記下方の椎体の間のスペースに前記移植部材のねじによる挿入を許容する協働するねじを有する、請求項１乃至６の何れか１項に記載の移植部材。
【請求項８】
前記第１の骨部分と前記第２の骨部分との間に配置された骨成長促進材料を更に有する、請求項１乃至７の何れか１項に記載の移植部材。
【請求項９】
前記移植部材はリング形状である、請求項１乃至８の何れか１項に記載の移植部材。
【請求項１０】
前記移植部材は前記可撓性部分の反対側の切込み部分を有し、その切込み部分が前記移植部材を前記第１の骨部分と前記第２の骨部分とに分割している、請求項１乃至９の何れか１項に記載の移植部材。
【請求項１１】
前記可撓性部分は、前記上方の椎体と前記下方の椎体との間においてショクアブソーバとして機能する、請求項１乃至１０の何れか１項に記載の移植部材。
【請求項１２】
前記移植部材は、骨の単一部分から形成される、請求項１乃至１１の何れか１項に記載の移植部材。
【請求項１３】
前記移植部材は近位端と反対側の遠位端とを有し、前記可撓性部分が前記近位端に隣接して配置され、前記移植部材は前記遠位端に隣接して配置された第２の可撓性部分を有する、請求項１乃至１２の何れか１項に記載の移植部材。
【発明の詳細な説明】
【０００１】
【発明が属する技術分野】
本発明は、移植可能な固定装置及びその移植に使用する移植方法に関する。さらに、詳細には、本発明は、脊柱の固定に使用する、骨で形成された椎骨間用 固定装置に関する。
【０００２】
【従来の技術】
脊柱の固定手順については種々の椎骨間固定移植部材を使用することができる。これらの移植部材は、スチール、チタン、複合体、同種移植片、異種移植片または他の生物学上矛盾のない材料を含む種々の材料から製造することができる。これらの移植部材は、周囲の神経及び血管構造を保護するために固定された保護管を使用して、また保護されない開放手順を通して挿入される。椎間板のスペースに挿入される装置の寸法についての１つの制限は、椎間板のスペースに接近するために使用することができる周囲の組織を通る開口の寸法である。脊柱に後方から接近する方法において、椎間板のスペースに接近するために硬膜及神経根を動かさなければならない。同様に、前方から接近する方法において、大動脈及び大静脈を移動しなければならない。このような移動は、解剖学的な構造によってしばしば制限され、椎間板のスペースの寸法と比較する際に接近する場所が非常に小さいものとなる。椎間板のスペースへの入口を拡大するために靱帯及び骨をさらに拡大することによって２つの隣接する椎骨間の結合が不安定になるか、弱くなる。さらに、大きな接近用の開口をつくるために血管及び神経構造を過剰に後退させることは、これらの組織を損傷するおそれがある。したがって、これまでの手順は、脊柱の一方の側の利用可能な開口を通して通過可能な第１の装置を配置し、脊柱の他の側に他の同様な移植部材を配置するために組織または血管を動かすことが制限されていた。各移植片は、利用可能な接近場所によって寸法が制限される。
【０００３】
要求に応じて、拡張可能な移植部材は、チタン及び複合体のような生物学上矛盾のない材料から開発されてきた。これらの装置は、それらが椎間板のスペースに配置された後、拡張を可能にする移植材料のヒンジまたは選択的な変形に依存する。このような装置は、小さい挿入構造及び拡張したスペース構成を有するが、移植部材を形成するために使用される材料は、合成物であり、隣接する骨組織に組み込まれない。骨は大きく改良された組み込みを提供するが、鉱物の高い含有量から本来の骨のもろい性質を生じ、特に負荷を支持する皮相骨は、変形の可能性を大きく制限する。通常、例えば、皮相骨は、ほぼ７０％の鉱物、３０％の非鉱物の割合から成る。非鉱物の内容では、９０％はＩ型のコラーゲンであり、細胞質物質と非コラーゲンたんぱく質とのバランスがとられている。
【０００４】
骨移植片は、他の負荷支持移植部材に関連して、固定形状、微粉状、または層状化された鉱物質が除去された骨として使用される。層状化される骨移植片の１つの形態は、非常に小さい構造的な完全性を有するスポンジまたは化粧用パフのような形態の鉱物質が除去された骨材料である。骨の構造的な特性は、骨の内部成長を支持するために適しているタンパク質を保持しているが、鉱物質の内容物を除去することによって交換えることができる。したがって、このような骨のスポンジ及び化粧用パフは、負荷を支持する用途には使用されない。
【０００５】
したがって、可撓性を有する領域を備えた強い骨移植部材のニーズがある。
【０００６】
【課題を解決するための手段】
１つの側面によれば、本発明は、可撓性の骨の移植部材を提供する。本発明の骨移植部材は、第１の骨部分と、第２の骨部分と、この第１の骨部分と第２の骨部分を接続する可撓性骨部分と、を有する。中間の可撓性骨部分は、第２の骨部分に対して第１の骨部分の動きを可能にする。好ましい実施形態において、第１及び第２の骨部分の動きは、所望ならば、２つの骨構造を間隔を置いた関係で維持し、小さい寸法形状の挿入形状と骨の成長を可能にするために適した拡張形状との間で行われる。選択的には、第１と第２の骨部分との間の運動は、装置が隣接する骨構造との間に配置されるとき弾性ダンパとして使用される。
【０００７】
本発明の他の側面によれば、骨移植部材は、鉱物質が除去された骨部分の可撓性部分をつくる鉱物質の少なくとも一部が除去された領域を有する骨部分を有する。１つの実施形態において、皮層大腿部リング部分の反対側は、椎間板のスペースに挿入されたときにリング部分が拡張されるように作用する。他の実施形態において、装置は、骨部分の反対側に鉱物質が除去された少なくとも２つの部分を有する。この構成において、ほぼ剛性の部分は、可撓性部分が弾性機能を実行し、さらに正常な動きまたは椎間板のスペースに隣接してさらによい骨の支持をするように２つの隣接する骨構造の間で負荷支持面に接触するように配置される。
【０００８】
本発明の他の側面において、骨移植部材が提供される。この方法は、堅い骨の部分を提供し、この部分の中間部分を形成する。この中央部分は、２つの隣接する骨部分の間に可撓性部材をつくるために少なくとも一部の鉱物質が除去される。２つの隣接する骨部分の間の骨の部分の少なくとも一部の鉱物をが除去する方法は、移植の所望の構造をつくるために必要なほど繰り返される。
【０００９】
さらに本発明は、本発明によって形成された装置を挿入する方法を考慮している。特に、本発明は、挿入管と、可撓性の中央部分によって接続された第１及び第２の部分を有する骨から形成された移植部材とを提供することを含む。この挿入管は、椎骨を隣接させることによって形成された椎間板のスペースに隣接するように配置される。骨移植部材の第１及び第２の部分は、挿入管に挿入するために小さい寸法に配置される。移植部材は、管に挿入され、それが挿入管に配置されるまで前進する。移植部材が所望の位置に到達するとき、第１及び第２の部分は、可撓性部分を拡張された移植形状にたわませることによって互いに関して移動される。挿入方法の好ましい実施形態において、穴内成長材料は、穴内成長を固定装置に、また固定装置の周りに促進するために第１と第２との部分の間に配置される。
【００１０】
したがって、本願発明に係る移植部材は、隣接する上方の椎体と下方の椎体との間の固定を促進するための移植部材であって、第１の骨部分と、第２の骨部分と、前記第１の骨部分及び前記第２の骨部分を接続する可撓性部分と、を有し、前記可撓性部分が、前記第２の骨部分に関する前記第１の骨部分の移動を許容し、前記第１の骨部分は、前記上方の椎体に係合するための上方支持面と、前記下方の椎体に係合するための下方支持面とを有し、前記第１の骨部分の前記上方支持面と前記下方支持面とが第１の高さによって隔てられており、前記第２の骨部分は、前記上方の椎体に係合するための上方支持面と、前記下方の椎体に係合するための下方支持面とを有し、前記第２の骨部分の上方支持面と前記下方支持面とが第２の高さによって隔てられており、前記第１の高さ及び前記第２の高さは、前記上方の椎体と前記下方の椎体との間のスペースを維持する。
好ましくは、前記可撓性部分は、鉱物質の少なくとも一部が除去された骨である。
また好ましくは、前記可撓性部分は、鉱物質を完全に除去された領域を有する。
また好ましくは、前記第１の高さと前記第２の高さとがほぼ等しい。
また好ましくは、前記第１の高さ及び前記第２の高さの各々はテーパを有しており、前記上方の椎体及び前記下方の椎体を適当な前湾の曲率に維持する。
また好ましくは、前記第１の骨部分の前記上方支持面及び前記下方支持面と前記第２の骨部分の前記上方支持面及び前記下方支持面とは夫々、前記上方の椎体及び前記下方の椎体の間の椎間板のスペースから前記移植部材が抜けることを防止するための骨係合面を有する。
また好ましくは、前記第１の骨部分の前記上方支持面及び前記下方支持面と前記第２の骨部分の前記上方支持面及び前記下方支持面とは、前記上方の椎体及び前記下方の椎体の間のスペースに前記移植部材のねじによる挿入を許容する協働するねじを有する。
また好ましくは、前記第１の骨部分と前記第２の骨部分との間に配置された骨成長促進材料を更に有する。
また好ましくは、前記移植部材はリング形状である。
また好ましくは、前記移植部材は前記可撓性部分の反対側の切込み部分を有し、その切込み部分が前記移植部材を前記第１の骨部分と前記第２の骨部分とに分割している。
また好ましくは、前記可撓性部分は、前記上方の椎体と前記下方の椎体との間においてショクアブソーバとして機能する。
また好ましくは、前記移植部材は、骨の単一部分から形成される。
また好ましくは、前記移植部材は近位端と反対側の遠位端とを有し、前記可撓性部分が前記近位端に隣接して配置され、前記移植部材は前記遠位端に隣接して配置された第２の可撓性部分を有する。
本発明のこれら及び他の目的は、本発明の好ましい実施形態の次の詳細な説明に基づいて当業者に明らかになる。
【００１１】
【発明の実施の形態】
本発明の原理の理解を促進するために、図面に示された実施形態を参照し、その実施形態を説明するために特別の言語を使用する。本発明の範囲を制限すること意図されず、図示した装置の変形例及び他の変更例が考慮され、図示したような本発明の原理の他の用途が当業者によって考慮されることは理解できよう。
【００１２】
図１を参照すると、本発明の好ましい実施形態による移植部材が示される。本発明の移植部材は多数の用途を有するが、図１に示す実施形態は、脊柱の椎体間の固定を促進するようになっている。特に、図１は、第１の剛性部分１２と、第２の剛性部分１４とを有する骨移植部材１０を示している。第１と第２との剛性部分１２及び１４は、中間部分１６によって結合される。中間部分１６は、骨移植部材１０の可撓性領域をつくるために一部の鉱物質が除去されている。好ましくは、中間部分１６の領域は、最大限の可撓性を支持するために鉱物質が完全に除去される。中間部分１６の鉱物質を除去することによってつくられた可撓性によって剛性部分を互いに移動することができる。この特徴の利点は、以下に説明する。
【００１３】
骨部分１２は、底部支持面（図示せず）に形成された同じ突起部２１の組を備えている。同様に、骨部分１４は、上方支持面１５に形成された骨係合突起部１８と、底部支持面（図示せず）に形成された同一の突起部１９とを有する。突起部は、好ましい実施形態で示されているが、椎間板の空隙から抜けることを制限するために椎体に有効に係合する表面を提供する種々の構造が考慮される。
【００１４】
剛性の骨部分１２及び１４は、上方及び下方支持面との間に構造的な支持体を提供するようになっている。特に、骨移植部材は、目的とする環境において用途を見いだすために上面と下面との間の圧縮に十分に抵抗するドナー骨から選択される。剛性の骨部分のついは、隣接する椎骨の間の空隙において支持体を提供するために協働する。本発明の移植部材の好ましい実施形態は、２つの剛性の骨部分を備え、他の移植部材の形状を提供するために可撓性骨領域によって相互に接続されるている。
【００１５】
図２ないし図４を参照すると、隣接する椎体の間の椎体間固定を行うために本発明による装置を挿入する方法が示されている。特に、図２を参照すると、移植部材１０は、第２の部分１４に隣接するように第１の部分１２が配置され、小さい寸法の挿入構成で示されている。図２に示すように、剛性の部分は、ほぼ平行に整列して配置されている。しかしながら、ある用途によれば、中間部分１６のこの量の可撓性は必要ではない。好ましい実施形態において、移植部材は、挿入管３０内で挿入形状で拘束されている。
【００１６】
隣接する椎骨間の椎間板のスペースへの接近は、この技術分野で公知である。本発明から逸脱することなくいかなる方向からも接近を達成することができるが、説明を目的とし、制限を目的としない観点において、図２及び図３は、後方からの接近について可能である。接近が行われると、保護スリーブは、椎間板の空隙に隣接して配置され、必要である場合には、椎間板の空隙は延伸される。小さい寸法の構成において、移植部材は、保護スリーブ３０内に配置され、椎間板のスペースＤに向かって前進する。移植部材は配置した後、さらに大きな寸法を有するが、硬膜３４は、保護スリーブ３０と小さい寸法の移植部材を通過させることができるように十分なほどキャビティ３８内で延伸される。
【００１７】
移植部材１０は、保護スリーブ３０を出て、椎間板のスペースＤ（図３及び４）に入るまで押し込み装置（図示せず）を使用することによって保護スリーブ３０を介して前進される。一端椎間板のスペースＤに到達したとき、装置は、中央部分１２に形成された弾性変形部分または分離器具（図示せず）を解放することによって装置が拡張し、各部分の間の動きを押して装置を図３に示す拡張したスペース構成にする。装置の拡張は、移植部材の性質を、広い支持面積を介して椎間板のスペースへの大きな安定性と椎間板のスペースでぐらつく傾向を小さくする。さらに部分１２と１４との間のキャビティ３３は、骨の組み合わせ及び固定を促進する材料を受ける領域を提供する。移植部材１０が適当に配置されると、移植部材１０への骨の成長を促進するために第１の部分１２と第２の部分１４との間に骨成長促進材料３２が配置されている。図示はしないが、さらに安定性を提供するために椎間板のスペースＤに第２の移植部材が配置されることは理解できよう。
【００１８】
図４にさらにはっきりと示すように、移植部材１０は、椎骨３６と椎骨３８との間に形成された椎間板のスペースＤの高さに等しい高さＨを有する。この実施形態において、高さＨは、図３に示す挿入から図４に示す拡張形状まで一定である。さらに、図２に均一な高さの移植部材が示されているが、移植部材１０は、移植部材が脊柱の適当な前湾の曲率を確立し維持するために使用することができるようなテーパの高さを有する。剛性の骨部分１４を参照すると、上方支持面２５は、上方の椎体３８を係合しこれを支持し、下方支持面２７は下方支持体３６に移植部材に係合しこれを支持する。突起部１８及び１９は、移植部材が抜けないように椎体３８及び３６の表面に係合する。椎体に同様に係合する剛性の骨部分１２に関連して剛性骨部分１４は、高さＨを維持し、脊柱に加えられる正常な力に耐える剛性と構造的な完全性を有する。可撓性領域１６は、このような構造的な要求を必要とはしないが、好ましくは、２つの支持壁の間の接続を維持することによって移植部材の安定性を得る補助とする。
【００１９】
可撓性骨移植部材１０は、非常に成功した骨材料から形成された望ましい特徴すなわち、小さい寸法の挿入形状と拡張したスペース形状とを有する自然の骨から成る特徴を提供する。
【００２０】
したがって、移植部材は、椎間板のスペースが延伸される望ましい高さを維持するが、移植部材の反対側の中央部分１６の幅は、図２の挿入形状から図３の拡張形状に容易に拡張可能である。この特徴は、小さいアクセス場所を通しての挿入を可能にし、椎間板の空隙の移植部材の安定性を増大する。
【００２１】
図５ないし図７を参照すると、本発明による移植部材の他の実施形態が示されている。図５は、本発明によって変形された皮層骨ドエル５０を示す。骨ドエル５０は、隣接する椎骨に係合し、移植部材を制御された方法で前進し、抜けることを防止するねじ５８を含む。移植部材５０は、装置を回転する駆動器具に係合する凹部が形成されたスロット６４を有する。本発明によれば、ねじが形成された骨ドエル５０は、上述したように可撓性領域５６とスロット６２によって第１の側壁５２と第２の側壁５４とに分割される。可撓性領域５６は、移植部材のこの領域で骨の無機質を除去することによってつくられる。第１及び第２の側壁５２及び５４の各々は、上方及び下方支持面を含む。この開口部は、骨幹骨の自然の骨随によって、またはドナー骨の海綿骨質を除去することによって除去されるが、これはドナー骨の形状に依存する。
【００２２】
図５の構成において、装置は、前述したように挿入管または他の装置を通して椎間板のスペースに挿入される。上方及び下方の椎体に隣接して開口６０が配置されると、第１の側壁５２及び第２の側壁５４は、可撓性部分５６でたわむ移植部材によって互いに離れる。移植部材５０は、図７に拡張した状態が示されている。所望の拡張が行われると、骨成長促進材料６４は、第１の側壁５２と第２の側壁５４の間の内側領域６０に挿入される。側壁は、椎間板のスペースの高さを維持するために構造的な支持体を提供する。図５ないし図７を参照すると、骨移植部材５０は、小さい寸法の挿入形状と拡張したスペース形状とを有する。
【００２３】
図８を参照すると、本発明の他の実施形態において、ねじを有する円筒形骨ドエルの変形例が示されている。特に、骨移植部材８０は、鉱物質が少ない２つの領域を含み、移植部材にある程度の可撓性を提供する。鉱物質が除去された部分８６及び８８は、突起部分８２と８４との間に配置される。したがって、突起部分８２または８４に加えられる力の突然の変化は、介在する可撓性領域によって減衰される。図８を参照すると、装置は、椎体Ｖ１及びＶ２に隣接して配置された突起部分９２及び９４を備えた椎体Ｖ１と椎体Ｖ２との間の椎間板のスペース９４に移植される。力が椎体Ｖ１及びＶ２に加えられるとき、鉱物質が除去された移植部材にある程度可撓性を提供し生理学的な負荷的な環境を提供する。特に、矢印１０２、１０３、１０４及び１０５によって示された圧縮力は、可撓性部分８６及び８８を部分１１０及び１１２にたわませることによってさらによく伝達される。このような装置は、固定（正常な負荷）及び関節形成術（正常な動き）の双方での用途を有する。
【００２４】
図９を参照すると、本発明の他の側面が示されている。ドナー用骨１２０は、大腿部のリングのような内側のキャビティ３０を有するリング形状の骨部分である。リング１２０に溝１２８が形成されている。溝１２８の反対側の部分１２６は、鉱物質の少なくとも一部を除去するように処理されている。これは、部分１２６で可撓性領域をつくる。したがって、骨は、スロット１２８と可撓性部分１２６によって側壁１２２と１２４に分割される。前述したように、骨移植片は、側壁１２４を側壁１２２から離れるように動かすことによって挿入後拡張される。
【００２５】
図１０（ａ）を参照すると、本発明による他の実施形態が示されている。スペーサ１８０は、通常、脊柱の頸部領域で使用される。スペーサ１８０は、壁１８２，１８３，１８４及び１９１によって画定された内側キャビティ１８８を含む。スペーサ１８８は、隣接する椎骨の間の固定を促進するために骨移植材料を受けるために適している。拡張を行うために、壁１８３の開口１８６がつくられ、反対側に、少なくとも鉱物質の一部を除去することによって壁１９１に可撓性ヒンジ領域１９０がつくられる。このように壁１８２及び１８４は、隣接する椎骨の間に挿入した後矢印１９２及び１９４の方向に移動され、移植部材を拡張する。壁１９１は拡張処理の間に少なくとも一部が変形される。
【００２６】
図１０（ｂ）は、図１０（ａ）の移植部材の他の変形例である。図１０（ｂ）において、スペーサ１９５は、壁１９９，２００、２０１によって形成された内側室２０８を有する。壁２０１は貫通するように形成された開口１９６を有する骨の可撓性領域は、壁１９９の接続部分に隣接した壁２００及び２０２のヒンジ領域１９７及び１９８で少なくとも一部の鉱物質を除去することによってつくられる。壁２００及び２０２は、スペーサ１９５の拡張を可能にするように矢印２０４及び２０６の方向に移動する。移植部材の２つのヒンジを使用することによって椎間板のスペースの壁１９９に正確に配置することができ、拡張中に壁１９９の一部の配置を換えることなく側方に拡張することができる。
【００２７】
本発明は、上述した実施形態に加えて、他の用途を有する。特に、制限することなく、必要な移植部材の間隔にさらに密接に適合するためにドナー用骨部分を成形することができる。いくつかの場合において、ドナー骨部分は、移植場所の形状と互換性のある形状を有する。これらの骨部分は、その意図した用途にさらに緊密に合致するように骨移植部材を成形するために可撓性を有する領域を有する。このような部分は、ドナー骨部分の形状全体が可撓性部分でたわむことによって変形されるように１つまたは複数の可撓性を有する領域を有する。これは移植部材の負荷支持強度を保存する。本発明のこの実施形態は、ドナー骨の制限された供給源の潜在的に使用可能な部分を増大する。ドナー骨及び他の移植部材の形状の完全な利用は、1998年10月29日に出願され、「IMPACTED BONE IMPLANTS AND INSTRUMENTATION」と題された米国特許出願第09/181,353号にその全体が示されている。
【００２８】
次に骨から鉱物質を除く方法を説明する。
この処理は、骨を処理する設備内であってクリーンルームの環境での処理によってドナー骨を処理することを含む。このようなドナー骨は、人間からの同種移植片または動物からの異種移植片を含む。さらに、骨移植分野における技術が進歩するにしたがって、骨成長によって、または骨の構成部分を処理し、骨に非常に類似した特性を有する人工の材料をつくることによってドナー骨を形成する。さらに詳細には、利用可能な同種または異種の骨の在庫をこの手順で使用することができるが、移植可能な装置の特別の要求に依存して皮相海綿骨質または海綿骨質を使用することができる。
【００２９】
さらにこの処理において、骨は骨に付着されている組織が除去され、エタノールまたはヒドロゲンパーオキサイドのような用材を用いてきれいに洗浄され、脂肪が除去される。次にこの骨は、くさび形、ドエルまたは他の形状の最終的な形状をつくるために従来の技術を使用して機械加工されるか、成形される。骨の中間部分は、可撓性を増大する必要に応じて形成される。可撓性の能力を必要とする場所で鉱物質を除去する処理が行われる。鉱物質を除去する液体を可撓性を有する所望の領域に隣接する骨に浸透させる処理は、流体静水学的な圧力によって制御され、鉱物質を除去する領域を制限する。骨から除去された鉱物の量は、可撓性の所望な量をつくるために調整することができる。これは、従来のようなヒドロクロリック、ニトリルまたはシトリル酸のような有機酸を使用する。好ましくは、鉱物質を除去する０．１ないし１．０NHClを有し、最も好ましくは０．３NHClを有する。もし、異種移植片が使用される場合には、骨のたんぱく質を不活性にし、アンチゲネシティを低減する有機溶剤の使用についての公知の技術をこの点に使用する。さらに、グルタールアルデヒドは、ミネラル部分の除去に続いてコラーゲン構造をクロスラインのために使用される。装置は機械加工され、一部が鉱物質を除去するとき、挿入前に記憶される。
【００３０】
上述した処理を好ましい実施形態において処理したが、他の適当な処理も仕様することができる。
図面を詳細に図示し、説明したが、説明のためであり、制限を目的とするものではない。当業者は本発明の精神または範囲を逸脱せずに変更改造を行うことができる。
【図面の簡単な説明】
【図１】  本発明による移植部材の斜視図である。
【図２】  移植部材の挿入形状の平面図である。
【図３】  移植部材の拡張された移植状態の平面図である。
【図４】  ２つの隣接する椎骨の間に挿入された移植部材の側面図である。
【図５】  本発明の他の実施形態の平面図である。
【図６】  図５の実施形態の端面図である。
【図７】  図５の移植部材拡張した形状の平面図である。
【図８】  ２つの隣接した椎骨の間に配置された本発明による他の実施形態の側面図である。
【図９】  本発明の他の側面によって準備されたリング形状の骨部分の平面図である。
【図１０】  図１０（ａ）は、本発明による他の実施形態の平面図である。
図１０（ｂ）は、図１０（ａ）の変形された実施形態である。
【図１】
0004282239.tif 000002
【図２】
0004282239.tif 000003
【図３】
0004282239.tif 000004
【図４】
0004282239.tif 000005
【図５】
0004282239.tif 000006
【図６】
0004282239.tif 000007
【図７】
0004282239.tif 000008
【図８】
0004282239.tif 000009
【図９】
0004282239.tif 000010
【図１０】
0004282239.tif 000011